【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
圧支持システムのための圧力発生システムにおいて、前記圧力発生システムは、
被験者の気道に送出するための加圧した呼吸可能ガス流を発生させるために構成される圧力発生器、
前記加圧した呼吸可能ガス流の１つ以上のパラメタに関する情報を搬送する出力信号を生成するために構成される１つ以上のセンサ、及び
コンピュータプログラムモジュールを実行するために構成される１つ以上の処理器
を有し、前記コンピュータプログラムモジュールは、
気道閉塞を検出するために構成される呼吸イベント検出モジュールであり、気道閉塞は前記センサの出力信号に基づいて検出される、呼吸イベント検出モジュール、
呼吸可能ガスのパルスの１つ以上のパルスパラメタを得るために構成されるパルスパラメタモジュールであり、前記パルスは、呼吸可能ガスの一時的なボーラスを構成し、前記被験者の気道を開くために構成され、
前記呼吸可能ガスのパルスの前記パルスパラメタは、前記パルスの発生前に得られ、当該パルスを最初から最後まで規定し、前記パルスパラメタは、第１のパルスパラメタの振幅、前記第１のパルスパラメタの期間及び/又は前記第１のパルスパラメタのタイミングを含んでいる、パルスパラメタモジュール、及び
気道閉塞の検出に応じて、前記得られたパルスパラメタに従って、前記被験者の気道に送出するための前記呼吸可能ガスのパルスを発生させるように前記圧力発生器を制御するために構成される制御モジュール
を有する、圧力発生システム。
【請求項２】
前記コンピュータプログラムモジュールはさらに、前記被験者の１つ以上の呼吸パラメタの１つ以上の基線レベルを決定するために構成される呼吸パラメタモジュールを有し、前記１つ以上の呼吸パラメタの１つ以上の基線レベルは、前記被験者の正常な呼吸に関する及び前記１つ以上の呼吸パラメタの１つ以上の基線レベルは、前記センサの出力信号に基づいて決定される、並びに
前記呼吸イベント検出モジュールは、前記基線レベルの１つ以上に違反している前記呼吸パラメタの１つ以上に応じて気道閉塞を検出するために構成される
請求項１に記載のシステム。
【請求項３】
前記パルスパラメタモジュールは、前記呼吸可能ガスのパルスの前記パルスパラメタを調節するために構成され、前記調節は、１つ以上の先行するパルスと比べて現在のパルスの有効性を高めるために構成され、前記有効性は、前記被験者の気道が開く量に関し、前記調節は、前記１つ以上の先行するパルス中に前記出力信号により搬送される情報に基づき、前記調節は、前記第１のパルスパラメタの振幅、前記第１のパルスパラメタの期間又は前記第１のパルスパラメタのタイミングの１つ以上を変更することを有する、請求項１に記載のシステム。
【請求項４】
前記制御モジュールは、気道陽圧支持治療法に従って、前記被験者の気道に前記加圧した呼吸可能ガス流を供給するように前記圧力発生器を制御するために構成され、前記制御モジュールは、最小量の気道陽圧支持を供給するように前記圧力発生器を制御するために構成され、及び前記制御モジュールは、前記気道陽圧支持に加え、前記パルスを送出するように前記圧力発生器を制御する、請求項１に記載のシステム。
【請求項５】
圧支持システムのための圧力発生システムを用いて圧力を発生させる方法であり、前記圧力発生システムは、圧力発生器、１つ以上センサ及び１つ以上の処理器を有し、前記１つ以上の処理器は、コンピュータプログラムモジュールを実行するために構成され、前記コンピュータプログラムモジュールは、呼吸イベント検出モジュール、パルスパラメタモジュール及び制御モジュールを有し、前記方法は、
前記圧力発生器を用いて、被験者の気道に送出するための加圧した呼吸可能ガス流を発生させるステップ、
前記１つ以上のセンサを用いて、前記加圧した呼吸可能ガス流の１つ以上のパラメタに関する情報を搬送する出力信号を生成するステップ、
前記呼吸イベント検出モジュールを用いて、気道閉塞を検出するステップであり、気道閉塞は前記センサにより生成される前記出力信号に基づいて検出される、ステップ、
前記パルスパラメタモジュールを用いて、呼吸可能ガスのパルスの１つ以上のパルスパラメタを得るステップであり、前記パルスは、呼吸可能ガスの一時的なボーラスを構成し、前記被験者の気道を開くために構成され、前記呼吸可能ガスのパルスの前記パルスパラメタは、前記パルスの発生前に得られ、当該パルスを最初から最後まで規定し、前記パルスパラメタは、第１のパルスパラメタの振幅、前記第１のパルスパラメタの期間及び/又は前記第１のパルスパラメタのタイミングを含んでいる、ステップ、並びに
前記制御モジュールを用いて、気道閉塞の検出に応じて、前記得られたパルスパラメタに従って、前記被験者の気道に送出するための前記呼吸可能ガスのパルスを発生させるように前記圧力発生器を制御するステップ、
を有する、方法。
【請求項６】
請求項５に記載の方法において、前記コンピュータプログラムモジュールはさらに、呼吸パラメタモジュールを有し、前記方法はさらに、前記呼吸パラメタモジュールを用いて、前記被験者の１つ以上の呼吸パラメタの１つ以上の基線レベルを決定するステップを有し、前記１つ以上の呼吸パラメタの１つ以上の基線レベルは、前記被験者の正常な呼吸に関する、並びに前記１つ以上の呼吸パラメタの１つ以上の基線レベルは、前記センサにより生成される前記出力信号に基づいて決定される、並びに
気道閉塞は、前記基線レベルの１つ以上に違反している前記呼吸パラメタの１つ以上に応じて検出される、
方法。
【請求項７】
請求項５に記載の方法はさらに、前記パルスパラメタモジュールを用いて、前記呼吸可能ガスのパルスの前記パルスパラメタを調節するステップを有し、前記調節は、１つ以上の先行するパルスと比べて現在のパルスの有効性を高めるために構成され、前記有効性は、前記被験者の気道が開く量に関し、前記調節は、前記１つ以上の先行するパルス中に前記出力信号により搬送される情報に基づき、及び前記調節は、前記第１のパルスパラメタの振幅、前記第１のパルスパラメタの期間又は前記第１のパルスパラメタのタイミングの１つ以上を変更することを有する、方法。
【請求項８】
請求項５に記載の方法はさらに、前記制御モジュールを用いて、気道陽圧支持治療法に従って、前記被験者の気道に前記加圧した呼吸可能ガス流を供給するように前記圧力発生器を制御するステップ、最小量の気道陽圧支持を供給するように前記圧力発生器を制御するステップ、及び前記気道陽圧支持に加え、前記パルスを送出するように前記圧力発生器を制御するステップ、を有する方法。
【請求項９】
前記圧支持システムのための圧力発生システムにおいて、前記圧力発生システムは、
被験者の気道に送出するための加圧した呼吸可能ガス流を発生させる手段、
前記加圧した呼吸可能ガス流の１つ以上のパラメタに関する情報を搬送する出力信号を生成する手段、及び
コンピュータプログラムモジュールを実行する手段、
を有し、前記コンピュータプログラムモジュールは、
気道閉塞を検出する手段であり、気道閉塞は前記出力信号に基づいて検出される、手段、
呼吸可能ガスのパルスの１つ以上のパルスパラメタを得る手段であり、前記パルスは、呼吸可能ガスの一時的なボーラスを構成し、前記被験者の気道を開くために構成され、前記呼吸可能ガスのパルスの前記パルスパラメタは、前記パルスの発生前に得られ、当該パルスを最初から最後まで規定し、前記パルスパラメタは、第１のパルスパラメタの振幅、前記第１のパルスパラメタの期間及び/又は前記第１のパルスパラメタのタイミングを含んでいる、手段、並びに
気道閉塞の検出に応じて、前記得られたパルスパラメタに従って、前記被験者の気道に送出するための前記呼吸可能なガスのパルスを発生させるために加圧したガス流を発生させる前記手段を制御する手段
を有する、圧力発生システム。
【請求項１０】
前記コンピュータプログラムモジュールはさらに、前記被験者の１つ以上の呼吸パラメタの１つ以上の基線レベルを決定するための手段を有し、前記１つ以上の呼吸パラメタの前記１つ以上の基線レベルは、前記被験者の正常な呼吸に関する、及び前記１つ以上の呼吸パラメタの前記１つ以上の基線レベルは、前記センサの出力信号に基づいて決定される、並びに
前記気道閉塞を検出する手段は、前記基線レベルの１つ以上に違反している前記呼吸パラメタの１つ以上に応じて、気道閉塞を検出するために構成される、
請求項９に記載のシステム。
【請求項１１】
前記１つ以上のパルスパラメタを得るための手段は、前記呼吸可能ガスのパルスのパルスパラメタを調節するために構成され、前記調節は、１つ以上の先行するパルスと比べて現在のパルスの有効性を高めるために構成され、前記有効性は、前記被験者の気道が開く量に関し、前記調節は、前記１つ以上の先行するパルス中に前記出力信号により搬送される情報に基づき、及び前記調節は、前記第１のパルスパラメタの振幅、前記第１のパルスパラメタの期間又は前記第１のパルスパラメタのタイミングの１つ以上を変更することを有する、請求項９に記載のシステム。
【請求項１２】
前記制御する手段は、気道陽圧支持治療法に従って、前記被験者の気道に前記加圧した呼吸可能ガス流を供給するように、前記加圧したガス流を発生する前記手段を制御するために構成され、前記制御する手段は、最小量の気道陽圧支持を供給するように前記加圧したガス流を発生させる前記手段を制御するために構成され、前記制御する手段は、前記気道陽圧支持に加えて、前記パルスを送出するように前記加圧したガス流を発生させる前記手段を制御する、請求項９に記載のシステム。